【手続補正書】
【提出日】平成27年2月4日(2015.2.4)
【手続補正１】
【補正対象書類名】明細書
【補正対象項目名】発明の名称
【補正方法】変更
【補正の内容】
【発明の名称】端末装置及びネットワーク端末プログラム
【手続補正２】
【補正対象書類名】明細書
【補正対象項目名】０００１
【補正方法】変更
【補正の内容】
【０００１】
本発明は、端末装置及びネットワーク端末プログラムに関する。
【手続補正３】
【補正対象書類名】特許請求の範囲
【補正対象項目名】全文
【補正方法】変更
【補正の内容】
【特許請求の範囲】
【請求項１】
放送受信装置と、端末装置と、を備えるネットワーク端末システムに用いられる端末装置であって、
操作入力部と、
放送波またはネットワークを介して送信される番組および前記番組に関する番組関連情報を受信する前記放送受信装置から直接または間接的に、前記番組関連情報を受信する通信Ｉ／Ｆと、
受信した前記番組関連情報に含まれるキーワード情報に含まれるキーワードを番組関連情報表示画面に表示し、前記キーワードが前記操作入力部により選択された場合に、前記キーワードに関する情報を表示する表示部と、
を備えることを特徴とする端末装置。
【請求項２】
前記番組関連情報は、前記番組または前記番組の場面に関連付けられたキーワードを呈示するタイミングを示すキーワード呈示情報を含み、
前記表示部は、前記キーワードと前記キーワード呈示情報により、前記キーワードを前記番組関連情報表示画面に表示することを特徴とする請求項１に記載の端末装置。
【請求項３】
放送受信装置と、端末装置と、関連情報配信装置と、を備えるネットワーク端末システムに用いられる端末装置であって、
操作入力部と、
前記放送受信装置から送信された、前記放送受信装置において選択された番組を識別する第一の番組状態情報を受信する第一の通信Ｉ／Ｆと、
前記第一の番組状態情報に基づき作成された第二の番組状態情報を前記関連情報配信装置に送信し、前記第二の番組状態情報を受信した関連情報配信装置により作成された、前記第二の番組状態情報により識別される番組に関する番組関連情報を受信する第二の通信Ｉ／Ｆと、
受信した前記番組関連情報に含まれるキーワード情報に含まれるキーワードを番組関連情報表示画面に表示し、前記キーワードが前記操作入力部により選択された場合に、前記キーワードに関する情報を表示する表示部と、
を備えることを特徴とする端末装置。
【請求項４】
前記番組関連情報は、前記第二の番組状態情報により識別される番組または番組の場面に関連付けられた前記キーワードを呈示するタイミングを示すキーワード呈示情報を含み、
前記表示部は、前記キーワードと前記キーワード呈示情報により、前記キーワードを前記番組関連情報表示画面に表示することを特徴とする請求項３に記載の端末装置。
【請求項５】
前記表示部は、表示している前記キーワードが選択された場合に、前記キーワードに関する情報を取得するデータベースを、前記操作入力部により選択するための選択画面を表示し、前記選択画面において前記キーワードに関する情報を取得する前記データベースが選択された場合に、前記キーワードを検索語として前記データベースを検索した検索結果を表示する、
ことを特徴とする請求項２または請求項４に記載の端末装置。
【請求項６】
前記番組関連情報は、第一のキーワード情報と第二のキーワード情報とを含み、
前記表示部は前記番組関連情報表示画面において、前記第一のキーワード情報と、前記第二のキーワード情報と、を区別可能な形態で表示し、前記第一のキーワードが選択された場合には前記選択画面として第一の選択画面を表示し、前記第二のキーワードが選択された場合には前記選択画面として前記第一の選択画面とは異なる第二の選択画面を表示する、
ことを特徴とする請求項５に記載の端末装置。
【請求項７】
前記第二のキーワード情報には、前記第二のキーワードの詳細情報へのリンク情報が含まれており、
前記表示部は、前記第二の選択画面において前記詳細情報への接続することを選択肢として表示し、当該選択肢が前記操作入力部により選択された場合には、前記リンク情報に基づいて前記詳細情報を表示し、前記第一の選択画面においては当該選択肢を表示しない、
ことを特徴とする請求項６に記載の端末装置。
【請求項８】
前記表示部は、前記第二の選択画面において前記キーワード呈示情報に基づき未だ呈示されていない前記第二のキーワード情報の前記詳細情報への接続が、前記操作入力部により選択された場合には、前記第二のキーワード情報の呈示を予約登録するための予約画面を表示し、予約登録された前記第二のキーワード情報が呈示された場合に、予約登録された前記第二のキーワード情報が呈示された旨を表示することを特徴とする請求項７に記載の端末装置。
【請求項９】
前記番組関連情報は、コンテンツ関連情報を含み、
前記表示部は、前記コンテンツ関連情報に含まれるコンテンツに関する情報を前記番組関連情報表示画面に表示し、前記コンテンツが前記操作入力部により選択された場合に、前記コンテンツ関連情報に含まれるリンク情報に基づいて前記コンテンツの配信元へ接続することを選択肢として表示し、前記選択肢が前記操作入力部により選択された場合には、前記リンク情報に基づいて前記コンテンツの再生画面を表示することを特徴とする請求項１から請求項８のいずれかに記載の端末装置。
【請求項１０】
前記コンテンツ関連情報は、前記コンテンツの配信状況情報を含み、
前記表示部は、前記コンテンツが前記操作入力部により選択された場合に、前記配信状況情報が前記コンテンツが配信開始前であることを示す場合は、前記コンテンツを予約登録するための配信予約画面を表示し、予約登録された前記コンテンツが配信された場合には、前記コンテンツが配信された旨を表示することを特徴とする請求項９に記載の端末装置。
【請求項１１】
前記表示部は、前記コンテンツが配信された旨を表示する場合に、前記コンテンツの配信開始日時又は配信終了日時を表示することを特徴とする請求項１０に記載の端末装置。
【請求項１２】
放送受信装置と、端末装置と、関連情報配信装置と、を備えるネットワーク端末システムに用いられる端末装置を、
操作入力部、
前記放送受信装置から送信された、前記放送受信装置において選択された番組を識別する第一の番組状態情報を受信する第一の接続手段、
前記第一の番組状態情報に基づき作成された第二の番組状態情報を前記関連情報配信装置に送信し、前記第二の番組状態情報を受信した関連情報配信装置により作成された、前記第二の番組状態情報により識別される番組に関する番組関連情報を受信する第二の接続手段、
受信した前記番組関連情報に含まれるキーワード情報に含まれるキーワードを番組関連情報表示画面に表示し、前記キーワードが前記操作入力部により選択された場合に、前記キーワードに関する情報を表示する表示手段、
として機能させることを特徴とするネットワーク端末プログラム。
【請求項１３】
前記番組関連情報は、前記第二の番組状態情報により識別される番組または番組の場面に関連付けられた前記キーワードを呈示するタイミングを示すキーワード呈示情報を含み、
前記表示手段は、前記キーワードと前記キーワード呈示情報により、前記キーワードを前記番組関連情報表示画面に表示することを特徴とする請求項１２に記載のネットワーク端末プログラム。
【請求項１４】
放送受信装置と、端末装置と、関連情報配信装置と、を備えるネットワーク端末システムに用いられる端末装置を、
操作入力部、
放送波またはネットワークを介して送信される番組および前記番組に関する番組関連情報を受信する前記放送受信装置から直接または間接的に、前記番組関連情報を受信する接続手段、
受信した前記番組関連情報に含まれるキーワード情報に含まれるキーワードを番組関連情報表示画面に表示し、前記キーワードが前記操作入力部により選択された場合に、前記キーワードに関する情報を表示する表示手段、
として機能させることを特徴とするネットワーク端末プログラム。
【請求項１５】
前記番組関連情報は、前記番組または前記番組の場面に関連付けられたキーワードを呈示するタイミングを示すキーワード呈示情報を含み、
前記表示部は、前記キーワードと前記キーワード呈示情報により、前記キーワードを前記番組関連情報表示画面に表示することを特徴とする請求項１４に記載のネットワーク端末プログラム。
【請求項１６】
前記表示手段は、表示している前記キーワードが選択された場合に、前記キーワードに関する情報を取得するデータベースを、前記操作入力部により選択するための選択画面を表示し、前記選択画面において前記キーワードに関する情報を取得する前記データベースが選択された場合に、前記キーワードを検索語として前記データベースを検索した検索結果を表示する、
ことを特徴とする請求項１３または請求項１５に記載のネットワーク端末プログラム。
【請求項１７】
前記番組関連情報は、第一のキーワード情報と第二のキーワード情報とを含み、
前記表示手段は前記番組関連情報表示画面において、前記第一のキーワード情報と、前記第二のキーワード情報と、を区別可能な形態で表示し、前記第一のキーワードが選択された場合には前記選択画面として第一の選択画面を表示し、前記第二のキーワードが選択された場合には前記選択画面として前記第一の選択画面とは異なる第二の選択画面を表示する、
ことを特徴とする請求項１６に記載のネットワーク端末プログラム。
【請求項１８】
前記第二のキーワード情報には、前記第二のキーワードの詳細情報へのリンク情報が含まれており、
前記表示手段は、前記第二の選択画面において前記詳細情報への接続することを選択肢として表示し、当該選択肢が前記操作入力部により選択された場合には、前記リンク情報に基づいて前記詳細情報を表示し、前記第一の選択画面においては当該選択肢を表示しない、
ことを特徴とする請求項１７に記載のネットワーク端末プログラム。
【請求項１９】
前記表示手段は、前記第二の選択画面において前記キーワード呈示情報に基づき未だ呈示されていない前記第二のキーワード情報の前記詳細情報への接続が、前記操作入力部により選択された場合には、前記第二のキーワード情報の呈示を予約登録するための予約画面を表示し、予約登録された前記第二のキーワード情報が呈示された場合に、予約登録された前記第二のキーワード情報が呈示された旨を表示することを特徴とする請求項１８に記載のネットワーク端末プログラム。
【請求項２０】
前記番組関連情報は、コンテンツ関連情報を含み、
前記表示手段は、前記コンテンツ関連情報に含まれるコンテンツに関する情報を前記番組関連情報表示画面に表示し、前記コンテンツが前記操作入力部により選択された場合に、前記コンテンツ関連情報に含まれるリンク情報に基づいて前記コンテンツの配信元へ接続することを選択肢として表示し、前記選択肢が前記操作入力部により選択された場合には、前記リンク情報に基づいて前記コンテンツの再生画面を表示することを特徴とする請求項１２から請求項１９のいずれかに記載のネットワーク端末プログラム。
【請求項２１】
前記コンテンツ関連情報は、前記コンテンツの配信状況情報を含み、
前記表示手段は、前記コンテンツが前記操作入力部により選択された場合に、前記配信状況情報が前記コンテンツが配信開始前であることを示す場合は、前記コンテンツを予約登録するための配信予約画面を表示し、予約登録された前記コンテンツが配信された場合には、前記コンテンツが配信された旨を表示することを特徴とする請求項２０に記載のネットワーク端末プログラム。
【請求項２２】
前記表示手段は、前記コンテンツが配信された旨を表示する場合に、前記コンテンツの配信開始日時又は配信終了日時を表示することを特徴とする請求項２１に記載のネットワーク端末プログラム。